(57)【要約】【課題】メインバッテリーの残量が規定値より少なくなったり、外されたりしても位置の検索が可能な携帯端末及び携帯端末の制御方法を提供する。【解決手段】メインの蓄電手段としてのメインバッテリー１０９の残量が規定値より少なくなったり、外されたりした場合であっても、残りの蓄電手段としての待機用バッテリー１１０を電源の供給源とすることにより、すぐに位置登録がされなくなることが防止され、位置の検索を行うことができる。【選択図】図１
2007325086.tif 000002
【特許請求の範囲】
【請求項１】
携帯端末本体内に収納された複数の蓄電手段と、
メインの蓄電手段が取り外されたときに電源の供給源を残りの蓄電手段に切り替える電源制御部と、
前記メインの蓄電手段が切り替えられたときに基地局内の交換機に対して位置登録を行う位置登録手段とを有することを特徴とする携帯端末。
【請求項２】
携帯端末本体内に着脱自在に収納されたメインの蓄電手段と、
前記携帯端末本体内に固定された待機用の蓄電手段と、
前記メインの蓄電手段が取り外されたときに電源の供給源を前記メインの蓄電手段から前記待機用の蓄電手段に切り替える電源制御部と、
前記待機用の蓄電手段に切り替えられたときに基地局内の交換機に対して位置登録を行う位置登録手段とを有することを特徴とする携帯端末。
【請求項３】
前記電源制御部は、前記メインの蓄電手段の残量が規定値より少なくなった場合にも電源の供給源を前記メインの蓄電手段から前記待機用の蓄電手段に切り替えることを特徴とする請求項１または２記載の携帯端末。
【請求項４】
前記電源制御部は、前記電源がオフされた場合にも電源の供給源を前記メインの蓄電手段から前記待機用の蓄電手段に切り替えることを特徴とする請求項１または２記載の携帯端末。
【請求項５】
前記携帯端末本体の位置を特定するためのＧＰＳ受信手段をさらに有し、前記待機用の蓄電手段に切り替えられたときに前記ＧＰＳ受信手段にて得られた位置情報を、前記交換機からの端末識別番号及び登録位置を受信し、受信時刻とともに受信データを保存するデータセンターに送信することを特徴とする請求項１または２記載の携帯端末。
【請求項６】
携帯端末本体からメインの蓄電手段が取り外されたときに電源の供給源を残りの蓄電手段に切り替えると共に、前記メインの蓄電手段が切り替えられたときに基地局内の交換機に対して位置登録を行うことを特徴とする携帯端末の制御方法。
【請求項７】
電源制御部により、携帯端末本体からメインの蓄電手段が取り外されたときに電源の供給源を前記メインの蓄電手段から内蔵された待機用の蓄電手段に切り替えると共に、位置登録手段により、前記待機用の蓄電手段に切り替えられたときに基地局内の交換機に対して位置登録を行うことを特徴とする携帯端末の制御方法。
【請求項８】
前記電源制御部は、前記メインの蓄電手段の残量が規定値より少なくなった場合にも電源の供給源を前記メインの蓄電手段から前記待機用の蓄電手段に切り替えることを特徴とする請求項６または７記載の携帯端末の制御方法。
【請求項９】
前記電源制御部は、電源がオフされた場合にも電源の供給源を前記メインの蓄電手段から前記待機用の蓄電手段に切り替えることを特徴とする請求項６または７記載の携帯端末の制御方法。
【請求項１０】
前記待機用の蓄電手段に切り替えられたときに前記携帯端末本体の位置を特定するためのＧＰＳ受信手段により得られた位置情報を、前記交換機からの端末識別番号及び登録位置を受信し、受信時刻とともに受信データを保存する所定のデータセンターに送信することを特徴とする請求項６または７記載の携帯端末の制御方法。
【発明の詳細な説明】
【技術分野】
【０００１】
本発明は、携帯電話やＰＤＡ(Personal Digital Assistants：個人用携帯情報端末)等の携帯端末及び携帯端末の制御方法に関する。
【背景技術】
【０００２】
現在、携帯電話で行われている交換機への位置登録動作を利用して、携帯電話の位置するおよその場所を特定するサービスが運営されている（例えば、特許文献１〜５参照）。
【特許文献１】特開２００２−３３５５６５号公報
【特許文献２】特開２００３−００９２０３号公報
【特許文献３】特開２００５−０８６６４７号公報
【特許文献４】特開平０８−１４９１８４号公報
【特許文献５】特表２００２−５０４８００号公報
【発明の開示】
【発明が解決しようとする課題】
【０００３】
しかしながら、携帯電話のメインバッテリーの残量が規定値より少なくなったり、外されたりした場合は、位置登録が行われなくなるため、位置の検索を行うことができなかった。
【０００４】
そこで、本発明の目的は、メインバッテリーの残量が規定値より少なくなったり、外されたりしても位置の検索が可能な携帯端末及び携帯端末の制御方法を提供することにある。
【課題を解決するための手段】
【０００５】
上記課題を解決するために、請求項１記載の発明は、携帯端末本体内に収納された複数の蓄電手段と、メインの蓄電手段が取り外されたときに電源の供給源を残りの蓄電手段に切り替える電源制御部と、前記メインの蓄電手段が切り替えられたときに基地局内の交換機に対して位置登録を行う位置登録手段とを有することを特徴とする。
【０００６】
請求項２記載の発明は、携帯端末本体内に着脱自在に収納されたメインの蓄電手段と、前記携帯端末本体内に固定された待機用の蓄電手段と、前記メインの蓄電手段が取り外されたときに電源の供給源を前記メインの蓄電手段から前記待機用の蓄電手段に切り替える電源制御部と、前記待機用の蓄電手段に切り替えられたときに基地局内の交換機に対して位置登録を行う位置登録手段とを有することを特徴とする。
【０００７】
請求項３記載の発明は、請求項１または２記載の発明において、前記電源制御部は、前記メインの蓄電手段の残量が規定値より少なくなった場合にも電源の供給源を前記メインの蓄電手段から前記待機用の蓄電手段に切り替えることを特徴とする。
【０００８】
請求項４記載の発明は、請求項１または２記載の発明において、前記電源制御部は、前記電源がオフされた場合にも電源の供給源を前記メインの蓄電手段から前記待機用の蓄電手段に切り替えることを特徴とする。
【０００９】
請求項５記載の発明は、請求項１または２記載の発明において、前記携帯端末本体の位置を特定するためのＧＰＳ受信手段をさらに有し、前記待機用の蓄電手段に切り替えられたときに前記ＧＰＳ受信手段にて得られた位置情報を、前記交換機からの端末識別番号及び登録位置を受信し、受信時刻とともに受信データを保存するデータセンターに送信することを特徴とする。
【００１０】
請求項６記載の発明は、携帯端末本体からメインの蓄電手段が取り外されたときに電源の供給源を残りの蓄電手段に切り替えると共に、前記メインの蓄電手段が切り替えられたときに基地局内の交換機に対して位置登録を行うことを特徴とする。
【００１１】
請求項７記載の発明は、電源制御部により、携帯端末本体からメインの蓄電手段が取り外されたときに電源の供給源を前記メインの蓄電手段から内蔵された待機用の蓄電手段に切り替えると共に、位置登録手段により、前記待機用の蓄電手段に切り替えられたときに基地局内の交換機に対して位置登録を行うことを特徴とする。
【００１２】
請求項８記載の発明は、請求項６または７記載の発明において、前記電源制御部は、前記メインの蓄電手段の残量が規定値より少なくなった場合にも電源の供給源を前記メインの蓄電手段から前記待機用の蓄電手段に切り替えることを特徴とする。
【００１３】
請求項９記載の発明は、請求項６または７記載の発明において、前記電源制御部は、電源がオフされた場合にも電源の供給源を前記メインの蓄電手段から前記待機用の蓄電手段に切り替えることを特徴とする。
【００１４】
請求項１０記載の発明は、請求項６または７記載の発明において、前記待機用の蓄電手段に切り替えられたときに前記携帯端末本体の位置を特定するためのＧＰＳ受信手段により得られた位置情報を、前記交換機からの端末識別番号及び登録位置を受信し、受信時刻とともに受信データを保存する所定のデータセンターに送信することを特徴とする。
【発明の効果】
【００１５】
本発明によれば、メインの蓄電手段としてのバッテリーの残量が規定値より少なくなったり、外されたりした場合であっても、残りの蓄電手段としての待機用バッテリーを電源の供給源とすることにより、すぐに位置登録がされなくなることが防止され、位置の検索を行うことができる。
【発明を実施するための最良の形態】
【００１６】
次に、本発明の実施の形態について、図面を参照して説明する。
本発明は、携帯電話等の携帯端末において、メインの蓄電手段としてのバッテリーが消耗してなくったり、外されたりしたときに、交換機に位置登録を行うための専用の蓄電手段を設け、電源制御を切り替えるようにしたことを特徴とする。
【００１７】
〔構成の説明〕
図１は、本発明に係る携帯端末としての携帯電話の一実施の形態を示すブロック図である。
無線処理部１０１は、例えばW-CDMA方式などで、携帯電話網を利用した無線通信を実行するものである。ＣＰＵ１０２は、携帯電話の各部を制御するものである。電源制御部１０３は、メインの蓄電手段としてのバッテリー１０９の消耗や取り外しを検知して、消耗時や取り外し時には電源を待機用の蓄電手段としてのバッテリー１１０に切り替えて、装置各部に供給する制御を行うものである。
【００１８】
タイマー１０４は、時間を計測する回路である。
記憶部１０５は、携帯電話の各部を制御するためのプログラムなどを格納する回路であり、例えば、ＲＯＭ（Read Only Memory）が用いられる。
音声制御部１０６は、マイクやスピーカを含み、入力された音声を通信できるデータに変換したり、携帯電話網から受信したデータを音声に変換したりする回路である。
表示制御部１０７は、ＬＣＤ（Liquid Crystal Display）等のディスプレイ装置を含み、表示画面を生成・表示する回路である。
操作部１０８はテンキーや方向キーを含み、携帯電話のユーザからの入力を受け付ける部材である。
【００１９】
また、メインバッテリー１０９は携帯電話本体から取り外し可能な二次電池（例えば、ニッケル水素電池やニッケルカドミウム電池等のアルカリ系の二次電池、小型シール鉛蓄電池等のブランテ電池、リチウム電池等の有機電解電池等が挙げられる）である。
【００２０】
待機用バッテリー１１０は携帯電話本体に内蔵され、取り外しできない二次電池（例えば、ニッケル水素電池やニッケルカドミウム電池等のアルカリ系の二次電池、小型シール鉛蓄電池等のブランテ電池、リチウム電池等の有機電解電池等が挙げられる）である。待機用バッテリー１１０は、メインバッテリーの充電時に同時に充電されるものとする。
【００２１】
メインバッテリー１０９と待機用バッテリー１１０との相違点は容量の違いと、リード端子の有無である。すなわち、待機用バッテリー１１０は、メインバッテリー１０９より容量が小さく小型で、かつプリント基板への取り付け用のリード線もしくは端子が設けられている点である。
【００２２】
なお、上述した実施の形態においては、待機用バッテリーの容量は、少なくともメインバッテリーの充電時間以上、間欠的な位置登録処理を継続できるのが好ましい。
【００２３】
また、メインバッテリー取り外しから待機用バッテリーに切り替える間の時間は、図示省略した一時蓄電手段により電源を確保する。または、携帯電話本体からメインバッテリーのカバーが取り外されたことを検出すると、待機用バッテリーに切り替えるようにしてもよい。
さらに、待機用バッテリー１１０は、本実施の形態では二次電池を用いているが、電気二重層コンデンサを用いてもよい。
【００２４】
携帯電話１０は、待機用バッテリー１１０を有することとその制御を行うこと以外は、基本的に既存の携帯電話と同様の構成で実現できる。
【００２５】
図２は、本発明に係る携帯端末としての携帯電話１０の位置検索サービスを実現するシステムの一例を示すブロック図である。
携帯電話１０は、携帯電話網を構成する基地局２０を介して交換機３０と接続される。また、交換機３０はデータセンター４０に専用線で接続され、携帯電話１０の位置を送信する。データセンター４０は携帯電話１０の位置のデータを保存しており、インターネット等のネットワーク５０を介して端末位置確認装置（パーソナルコンピュータ）６０に携帯電話１０の位置情報を提供する。
【００２６】
〔動作の説明〕
図３に、本発明に係る携帯端末としての携帯電話１０の動作の一例を示す。
携帯電話１０の通常動作時においては、電源制御部１０３は電源の供給源をメインバッテリー１０９としており、その電池残量及び装着状態を監視している。すなわち、メインバッテリー残量なしまたは取り外し有りか否かを判断する（ステップS1）。
【００２７】
電源制御部１０３は、メインバッテリー１０９の電池残量が規定値以下となるかまたは本体から取り外されたことを検知すると、電源の供給源をメインバッテリー１０９から待機用バッテリー１１０に切り替え、ＣＰＵ１０２にバッテリーを切り替えたことを通知する（ステップS2）。
【００２８】
ＣＰＵ１０２は、電源制御部１０３からバッテリーが切り替えられたことが通知されると、交換機３０への位置登録処理を実行する（ステップS3）。この位置登録処理は、従来から携帯電話の電源をオンにしたときに行われている処理と同様に行う。そして、位置登録処理が終了すると、その旨を電源制御部１０３に通知する。
【００２９】
電源制御部１０３は、ＣＰＵ１０２から位置登録処理が終了したことが通知されると、自身及びタイマー１０４以外への電源供給を停止する（ステップS4）。そして、タイマー１０４からの時間カウント値に基づいて、電源供給の停止時間が所定時間経過したか否かを監視する（ステップS5）。
所定時間が経過するまでは待機し（ステップS5/No）、所定時間が経過したとき（ステップS5/Yes）、携帯電話各部への電源供給を再開し、ＣＰＵ１０２に再び位置登録処理を行うように通知する（ステップS6）。
【００３０】
図４に、本発明に係る携帯端末としての携帯電話の位置検索サービスの動作の一例を示す。
図３の動作により携帯電話１０と交換機において位置登録処理を行うと（ステップS10,S11）、交換機３０は携帯電話１０の端末識別番号及び登録された位置をデータセンター４０に送信する（ステップS12）。
【００３１】
データセンター４０は、交換機３０から、携帯電話１０の端末識別番号及び登録位置を受信すると、その受信時刻とともにデータセンター内部のデータベースに保存する（ステップS13,S14）。このとき、登録位置を地域名称など、ユーザが分かりやすいデータに変換してもよい。このようにして登録された携帯電話１０の登録位置は、ＰＣや携帯端末等のネットワーク５０に接続可能な端末位置確認装置６０から、検索できるようになっている。
【００３２】
〔他の実施の形態〕
待機用バッテリーへの切り替え動作と位置登録動作とは、メインバッテリーの残量がなくなったとき及び取り外されたときに加え、電源がオフされた場合に行うようにしてもよい。このようにすれば、例えば徘徊病患者や児童など監視が必要な人が無意識もしくは故意に電源をオフしてしまった場合であっても、位置登録が行われる。
【００３３】
また、位置登録処理は、予め携帯電話１０にＧＰＳを内蔵しておき、携帯電話網２０を介してネットワーク５０に接続して、直接データセンター４０に緯度や経度など、詳細な位置情報を送信するようにしてもよい。
【００３４】
〔効果の説明〕
本発明によれば、携帯電話のメインバッテリーがなくなったり、或いはバッテリーが外されてしまったりした場合においても、すぐに位置登録がされなくなることが防止され、位置の検索を行うことができる。
【００３５】
また、電源オフ時にも位置登録が継続されるようにすれば、例えば犯罪に巻き込まれて故意に電源をオフされた場合にも、携帯電話の位置を定期的に判別することができる。
【産業上の利用可能性】
【００３６】
本発明は、携帯電話やPDA等の携帯端末及び携帯端末の制御方法に利用できる。
【図面の簡単な説明】
【００３７】
【図１】本発明に係る携帯端末としての携帯電話の一実施の形態を示すブロック図である。
【図２】本発明に係る携帯端末としての携帯電話１０の位置検索サービスを実現するシステムの一例を示すブロック図である。
【図３】本発明に係る携帯端末としての携帯電話１０の動作の一例を示すフローチャートである。
【図４】本発明に係る携帯端末としての携帯電話の位置検索サービスの動作の一例を示すシーケンス図である。
【符号の説明】
【００３８】
１０    携帯電話
１０１    無線処理部
１０２    ＣＰＵ
１０３    電源制御部
１０４    タイマー
１０５    記憶部
１０６    音声制御部
１０７    表示制御部
１０８    操作部
１０９    メインバッテリー
１１０    待機用バッテリー
【図１】
2007325086.tif 000003
【図２】
2007325086.tif 000004
【図３】
2007325086.tif 000005
【図４】
2007325086.tif 000006